(57)【要約】【課題】建造物の床面に帯電する静電気を除去可能な静電気除去床タイル地の提供を図る。【解決手段】建造物の床面に帯電する静電気を除去する静電気除去床タイル地１０であって、所用大きさの導電性金属板４１に所用長さの導電性金属線４２が接続されて成る少なくとも一以上のアース体４０を下地床面５０上の所定箇所に設置した状態で、下地床面５０全体に導電性タイル接着材２２を塗布してその上方に複数の床タイル２０を貼設すると共に、貼設された複数の床タイル２０間の目地隙間に導電性タイル目地材２１を埋め込んだ構成を採る。【選択図】図１
0003199937.tif 000002
【実用新案登録請求の範囲】
【請求項１】
建造物の床面に帯電する静電気を除去する静電気除去床タイル地であって、
前記静電気除去床タイル地は、所用大きさの導電性金属板に所用長さの導電性金属線が接続されて成る少なくとも一以上のアース体を下地床面上の所定箇所に設置した状態で、下地床面全体に導電性タイル接着材を塗布してその上方に複数の床タイルを貼設すると共に、貼設された複数の床タイル間の目地隙間に導電性タイル目地材を埋め込んで成ることを特徴とする静電気除去床タイル地。
【請求項２】
前記アース体における導電性金属板が所定箇所にて略直角に折曲されることで側面視において略Ｌ字状を為す鉛直部が形成されて成り、該鉛直部が床タイル間の目地隙間に配設されて成ることを特徴とする請求項１記載の静電気除去床タイル地。
【請求項３】
前記床タイルが導電性床タイル若しくは絶縁性床タイルで形成されることを特徴とする請求項１または請求項２記載の静電気除去床タイル地。
【請求項４】
前記導電性タイル接着材あるいは前記導電性タイル目地材のいずれか一方若しくは両方に、金属製極細線状片が練り込まれて成ることを特徴とする請求項１から請求項３のいずれか記載の静電気除去床タイル地。
【考案の詳細な説明】
【技術分野】
【０００１】
本考案は、建造物の床タイル地に関し、詳しくは、建造物の床面に帯電する静電気を除去することが可能な静電気除去床タイル地に関する。
【背景技術】
【０００２】
従来より、店舗などの床タイルの上を摩擦抵抗値の高い買い物カートやゴム靴を履いた人が通行することによって、床タイルの表面に静電気が発生して不快な静電気放電現象が起きたり、また、清掃時に床タイルの表面に細かい塵埃が吸着して清掃作業が容易に行うことができなかったり、さらには、精密家電製品に常時電気的な放電負荷がかかったりする問題があった。
【０００３】
上記のような床面に帯電する静電気現象を建造物外に放電すべく、静電気除去床タイルの提案が従来よりなされている。例えば、帯電の程度を抑えるコンダクティブタイルを床に敷設することで、所望の時間内に静電気を逃がすことができる「床」（特許文献１参照）が提案されている。
【０００４】
しかしながら、かかる「床」の提案は、カーボンを混入した強力Ｐタイルのりから単にアースを取っている過ぎないことから、経年劣化や地震災害でＰタイル自体やタイルのりが割れたり剥がれたりすると、タイル間の導電性が断絶することが考えられ、その割れたり剥がれたりした箇所を特定した上で導電性を確保するには、大掛かりな調査費用と修復工事が必要となるものであった。
【０００５】
また、床面の段差がなく、静電気が床面に帯電するのを防ぎ、改修工事などの工期短縮が可能となる「絶縁性セラミックタイルの床面形成方法及び絶縁性セラミックタイルからなる床面」（特許文献２参照）が提案されている。
【０００６】
しかしながら、かかる「絶縁性セラミックタイルの床面形成方法及び絶縁性セラミックタイルからなる床面」の提案は、導電性テープによって絶縁性セラミックタイルの表面に帯電した静電気をアース部で地中に開放する手段を採ることによって、導電性テープの施工工事や施工コストがかかると共に、導電性テープが敷かれているエリアと敷かれていないエリアが存在することによって、室内のレイアウトが変更された場合、その導電性テープによるアース効果を十分に得ることができないものであった。さらに、該導電性テープは下地床面の上面と床タイルの底面の両方に接触するように分岐する必要があることから、多大な施工工数を要するといった問題があった。
【０００７】
本出願人は、以上のような従来から使用されている静電気除去床タイルにおけるアースの取り方に着目し、経年劣化や災害時のいかなる場合においても床面における静電気の帯電を防ぐことができないものかという着想の下、建造物の床面に帯電する静電気を除去することができる静電気除去床タイル地を開発し、本考案における「静電気除去床タイル地」の提案に至るものである。
【先行技術文献】
【特許文献】
【０００８】
【特許文献１】実開昭６１−３２４３９号公報
【特許文献２】特開２０１３−２２７７３３号公報
【考案の概要】
【考案が解決しようとする課題】
【０００９】
本考案は、上記問題点に鑑み、建造物の床面に帯電する静電気を除去可能な静電気除去床タイル地を提供することを課題とする。
【課題を解決するための手段】
【００１０】
上記の課題を解決するため、本考案は、建造物の床面に帯電する静電気を除去する静電気除去床タイル地であって、所用大きさの導電性金属板に所用長さの導電性金属線が接続されて成る少なくとも一以上のアース体を下地床面上の所定箇所に設置した状態で、下地床面全体に導電性タイル接着材を塗布してその上方に複数の床タイルを貼設すると共に、貼設された複数の床タイル間の目地隙間に導電性タイル目地材を埋め込んで成る構成となっている。
【００１１】
また、本考案にかかる静電気除去床タイル地は、前記アース体における導電性金属板が所定箇所にて略直角に折曲されることで側面視において略Ｌ字状を為す鉛直部が形成されて成り、該鉛直部が床タイル間の目地隙間に配設されて成る構成を採用し得る。
【００１２】
さらに、本考案にかかる静電気除去床タイル地は、前記床タイルが導電性床タイル若しくは絶縁性床タイルで形成される構成を採る。
【００１３】
またさらに、本考案にかかる静電気除去床タイル地は、前記導電性タイル接着材あるいは前記導電性タイル目地材のいずれか一方若しくは両方に、金属製極細線状片が練り込まれた構成を採用し得る。
【考案の効果】
【００１４】
本考案にかかる静電気除去床タイル地によれば、下地床面上の所定箇所であって導電性タイル接着材の層厚内に導電性金属板と導電性金属線で形成されるアース体を少なくとも一以上埋設し、かつ、下地床面への床タイルの貼設に導電性タイル接着材を使用すると共に、貼設された複数の床タイルの隙間に導電性タイル目地材を埋め込む構成を採用していることから、アース体の導電性金属線を単に建造物の鉄筋や窓枠など真近な金属部に接続することで簡単にアース設置工事が可能であって、施工期間の短縮並びに施工容易性の向上に資すると共に、施工コストの低減が図られる、といった優れた効果を奏する。
【００１５】
また、本考案にかかる静電気除去床タイル地によれば、下地床面全体に導電性タイル接着材が塗布されていることから、床面の経年劣化や災害等による一部破損が起こったとしても導電性に何ら影響せず、いかなる場面においても床面の静電気の帯電を防ぐことが可能である、といった優れた効果を奏する。
【００１６】
さらに、本考案にかかる静電気除去床タイル地によれば、アース体として側面視略Ｌ字状を為す鉛直部が形成された導電性金属板を採用することにより、アース体の埋設箇所の位置決めを容易にして施工性の向上に資すると共に通電性の向上に資し、さらには、導電性タイル接着材あるいは導電性タイル目地材のいずれか一方が破損等により機能しない場合でも、どちらか一方が機能していれば床面に帯電した静電気を建造物外に放電することが可能になる、といった優れた効果を奏する。
【００１７】
またさらに、本考案にかかる静電気除去床タイル地によれば、床タイルとして導電性床タイルを採用することで、床タイル地全体の通電性向上に資し、床面に帯電した静電気を導電性タイル接着材と導電性タイル目地材とアース体を介して速やかに建造物外に放電することが可能になる、といった優れた効果を奏する。
【００１８】
さらにまた、本考案にかかる静電気除去床タイル地によれば、床面タイルとして絶縁性床タイルを採用することで、外観美観が保たれ、安価で耐久性の高い床タイルが使用できるほか、セラミックタイルを使用することによって表面を鏡面状に仕上げて汚れ難くすることができ、さらに天井の照明の反射効果が得られるため店内消費電力の節電対策が図られる、といった優れた効果を奏する。
【００１９】
そしてまた、本考案にかかる静電気除去床タイル地によれば、導電性タイル接着材あるいは導電性タイル目地材のいずれか一方若しくは両方に、金属製極細線状片を練り込むことによって、さらに導電性の高いタイル地となることから、静電気の放電時間の短縮が図られる、といった優れた効果を奏する。
【図面の簡単な説明】
【００２０】
【図１】本考案にかかる静電気除去床タイル地の実施形態を示す説明図である。
【図２】本考案にかかる静電気除去床タイル地の実施形態を示す説明図である。
【図３】本考案にかかる静電気除去床タイル地の施工手順を示すチャート図である。
【考案を実施するための形態】
【００２１】
本考案にかかる静電気除去床タイル地１０は、所用大きさの導電性金属板４１に所用長さの導電性金属線４２が接続されて成る少なくとも一以上のアース体４０を下地床面５０上の所定箇所に設置した状態で、下地床面５０全体に導電性タイル接着材２２を塗布してその上方に複数の床タイル２０を貼設すると共に、貼設された複数の床タイル２０の隙間に導電性タイル目地材２１を埋め込んで成ることを最大の特徴とする。
以下、本考案にかかる静電気除去床タイル地１０の実施形態を、図面に基づいて説明する。
【００２２】
尚、本考案にかかる静電気除去床タイル地１０は、以下に述べる実施例に限定されるものではなく、本考案の技術的思想の範囲内、すなわち同一の作用効果を発揮できる形状や寸法、材質等の範囲内で、適宜変更することができる。
【００２３】
図1及び図２は、本考案にかかる静電気除去床タイル地１０の実施形態を示す説明図であり、具体的には、施工状態における断面説明図である。
本考案の静電気除去床タイル地１０は、建造物の床面に帯電する静電気を除去する静電気除去床タイル地１０であって、下地床面５０上に敷設施工される床タイル２０と、下地床面５０と床タイル２０とを接着する導電性タイル接着材２２と、複数の床タイル２０間の目地隙間に埋め込む導電性タイル目地材２１と、床面に帯電する静電気を建造物外へ放電するアース体４０と、から構成される。
【００２４】
床タイル２０の形状，大きさについては、特に限定はないが、例えば１００〜６００ｍｍ角、厚み５〜１０ｍｍ程の正方形板で形成されている。また、床タイル２０の材質についても特に限定はなく、特性によって種々の材質が用いられる。すなわち、床タイル２０の特性として導電性を備える場合（導電性床タイル）は、その材質として例えば陶磁器タイルやコンダクティブタイルが使用される。また、床タイル２０の特性として絶縁性を備える場合（絶縁性床タイル）は、その材質として例えばセラミックタイルが使用される。
【００２５】
導電性タイル接着材２２は、速乾性（可撓性）モルタルにカーボンブラック、グラファイト、銅粉末、酸化亜鉛等の導電性物質を混入して規定の半導体目標数値内に収まる半導体接着材に改質するもので、例えば、珪砂６０％：四三酸化鉄１０％：ポルトランドセメント３０％の重量比割合で作成される市販の導電性タイル接着材「商品名：イナメントタフ」が使用される。
【００２６】
導電性タイル目地材２１は、一般的には速乾性（可撓性）目地材にカーボンブラック、グラファイト、銅粉末、酸化亜鉛等の導電性物質を混入して規定の半導体目標数値内に収まる半導体接着材に改質するもので、例えば、珪砂５１％：四三酸化鉄４％：ポルトランドセメント４５％の重量比割合で作成される市販の導電性タイル目地材「商品名：イナメジ」が使用される。
【００２７】
なお、前記導電性タイル接着材２２あるいは導電性タイル目地材２１のいずれか一方若しくは両方に、金属製極細線状片を練り込む態様が可能である。金属製極細線状片は、長さ数ミリ、太さ数ミクロン単位の導電性を備える銅やアルミなどの金属製の線状体で形成されるもので、市販のケーブル電線を切断加工して使用することができる。このように、金属製極細線状片を練り込むことによって、導電性タイル接着材２２や導電性タイル目地材２１が本来備える導電性に加えてさらに高い導電性を確保することができる。
【００２８】
アース体４０は、所用大きさの導電性金属板４１に所用長さの導電性金属線４２が接続されて形成される。所用大きさの導電性金属板４１としては、例えば縦５０ｍｍ×横１００ｍｍの矩形の薄状銅板が考えられ、また、所用長さの導電性金属線４２としては、長さ５００ｍｍの銅線が考え得る。導電性金属線４２は、その一端が導電性金属板４１の端部に予め接続されており、他端は施工時に建造物の金属部５１（構造鉄筋や窓枠のアルミサッシ）に接続される。
【００２９】
かかるアース体４０について、図２に示すように、導電性金属板４１に鉛直部４１ａを形成する態様が考え得る。すなわち、アース体４０における導電性金属板４１が所定箇所にて略直角に折曲されることで、側面視において略Ｌ字状を為す鉛直部４１ａが形成されて成る態様である。該鉛直部４１ａは、施工において貼設された床タイル２０間の目地隙間に配設されることとなる。したがって、鉛直部４１ａの高さは、床タイル２０の厚み以下とすることを要する。このように、導電性金属板４１を鉛直部４１ａが形成された略Ｌ字状とすることにより、該鉛直部４１ａを床タイル２０の側面に当接させることでアース体４０の埋設箇所の位置決めを容易にして施工性の向上に資することとなる。また、導電性タイル接着材２２や導電性タイル目地材２１が災害などで破損等した場合であっても、いずれか一方が機能していれば床面に帯電した静電気を建造物外に放電することが可能となり、通電性の向上に資することとなる。
【００３０】
本考案にかかる静電気除去床タイル地１０が施工される下地床面５０については、その構造に特に限定はないが、例えばタイル下地のある場合は下地モルタルコンクリートが養生されて成り、また、石貼り工法の場合はバサモルタルが養生されて成る。
【００３１】
前記導電性金属線４２の他端が接続される建造物の金属部５１は、床面や壁面に埋設される構造鉄筋や窓枠アルミサッシなどの金属部位を利用すれば足り、アース体４０を設置した箇所から真近な金属部５１が選択的に決定される。
【００３２】
本考案にかかる静電気除去床タイル地１０は、以上の各構成要素から成り、下地床面５０上の所定の一箇所乃至複数箇所にアース体４０を設置した状態で、導電性タイル接着材２２が該アース体４０を被覆しつつ下地床面５０全体に塗布され、その上から複数の床タイル２０が貼設され、最後に貼設された床タイル２０間の目地隙間に導電性タイル目地材２１を埋め込んで完成する。
【００３３】
図３は、本考案にかかる静電気除去床タイル地１０の施工手順を示すチャート図である。すなわち、本考案にかかる静電気除去床タイル地１０は、以下の施工手順に沿って施工される。
【００３４】
〔Ｓｔｅｐ１〕アース体４０の設置
アース体４０を下地床面５０上の所定箇所に設置する。このとき、該アース体４０における導電性金属線４２の他端は建造物の金属部５１に接続される。
【００３５】
〔Ｓｔｅｐ２〕導電性タイル接着材２２の塗布
導電性タイル接着材２２を下地床面５０の全体に塗布する。このとき、下地床面５０上に設置されたアース体４０は、導電性タイル接着材２２により被覆される。すなわち、アース体４０は、導電性タイル接着材２２の層厚内に埋設される。
【００３６】
〔Ｓｔｅｐ３〕床タイル２０の貼設
下地床面５０の上に塗布された導電性タイル接着材２２の上へ、複数の床タイル２０を敷き詰め貼設する。
【００３７】
〔Ｓｔｅｐ４〕導電性タイル目地材２１の埋め込み
敷き詰め貼設された複数の床タイル２０間の目地隙間に、導電性タイル目地材２１を埋め込む。
【００３８】
〔Ｓｔｅｐ５〕半導体数値の測定
施工工事約二週間後に、電気抵抗計を用いて半導体数値を測定し、特に問題がなければ完成する。
【００３９】
以上で構成される本考案における静電気除去床タイル地１０は、導電性を得るための素材が全て前もって準備可能であり、導電性タイル接着材２２と導電性タイル目地材２１とアース体４０により簡便に静電気除去床タイル地１０の施工が可能であって、工場やオフィス、店舗、家屋、ビル、乗り物などあらゆる静電気発生の可能性がある床面に容易に施工することができると共に、施工期間の大幅な短縮が図られ、改修工事も容易であり、人件費及び施工費のコストダウンも図られ、さらに耐用年数が高い静電気除去床タイル地１０の提供が可能となる。
【００４０】
また、本考案における静電気除去床タイル地１０は、導電性タイル目地材２１や導電性タイル接着材２２に金属製極細線状片を事前に混ぜ合わせて練り込むことで、金属製極細線状片自体がツナギの役割も果たすため、経年劣化やヒビ割れなどの地震災害にも強いといった、従来にない導電性の高い静電気除去床タイル地１０の提供が可能となる。
【産業上の利用可能性】
【００４１】
本考案にかかる静電気除去床タイル地１０は、従来から使用されている静電気除去床タイル地と比較して、床面の経年劣化や災害等による一部破損が起こったとしても床面の静電気の帯電を防ぐことができ、工場やオフィス、店舗、家屋、ビル、乗り物などあらゆる静電気発生の可能性がある床面に容易に施工することができることから、本考案にかかる「静電気除去床タイル地」の産業上の利用可能性は極めて大であるものと思料する。
【符号の説明】
【００４２】
１０    静電気除去床タイル地
２０    床タイル
２１    導電性タイル目地材
２２    導電性タイル接着材
４０    アース体
４１    導電性金属板
４１ａ  鉛直部
４２    導電性金属線
５０    下地床面
５１    建造物の金属部
【図１】
0003199937.tif 000003
【図２】
0003199937.tif 000004
【図３】
0003199937.tif 000005